(57)【特許請求の範囲】
【請求項１】
複数ページの画像を処理する画像処理装置であって、
前記複数ページのうち、ページ番号の付与を開始する開始ページをユーザの指示に従って指定する指定手段と、
ユーザからの所定の指示に従って、ページ番号の付与を終了する終了ページを指定するための数値の入力を当該ユーザから受け付けずに、当該終了ページを前記複数ページのうちの最終ページの１つ前のページに決定する決定手段と、
前記指定手段によって指定された開始ページ以降のページであって、前記決定手段によって決定された前記終了ページ以前のページにページ番号を付与するよう制御する制御手段とを有することを特徴とする画像処理装置。
【請求項２】
前記決定手段は、ユーザによる所定のボタンの指定に従って、ページ番号の付与を終了する終了ページを指定するための数値の入力を当該ユーザから受け付けずに、当該終了ページを前記複数ページのうちの最終ページの１つ前のページに決定することを特徴とする請求項１に記載の画像処理装置。
【請求項３】
前記複数ページの画像に表紙を追加する追加手段と、
前記指定手段によって指定される開始ページを、前記追加手段によって追加された表紙を含めてカウントしたページとするか、前記追加手段によって追加された表紙を除いてカウントしたページとするかを設定する設定手段をさらに有することを特徴とする請求項１または２に記載の画像処理装置。
【請求項４】
前記決定手段は、ページ番号の付与を終了する終了ページを指定するためにユーザによって入力された数値に基づいて、当該終了ページを決定することも可能なことを特徴とする請求項１乃至３の何れか１項に記載の画像処理装置。
【請求項５】
前記決定手段は、ユーザからの前記所定の指示とは異なる所定の指示に従って、ページ番号の付与を終了する終了ページを指定するための数値の入力を当該ユーザから受け付けずに、当該終了ページを前記複数ページのうちの最終ページに決定することも可能なことを特徴とする請求項１乃至４の何れか１項に記載の画像処理装置。
【請求項６】
前記ページ番号が付与されたページを印刷する印刷手段をさらに有することを特徴とする請求項１乃至５の何れか１項に記載の画像処理装置。
【請求項７】
前記ページ番号が付与されたページを外部装置に送信する送信手段をさらに有することを特徴とする請求項１乃至５の何れか１項に記載の画像処理装置。
【請求項８】
複数ページのうちの、ページ番号が付与される一部のページを指定するためのデータ処理装置であって、
ページ番号の付与を開始する開始ページの指定をユーザから受け付ける第１の受け付け手段と、
ページ番号の付与を終了する終了ページの指定をユーザから受け付ける第２の受け付け手段と、
を有し
前記第２の受け付け手段は、前記終了ページを指定するための数値の入力をユーザから受け付けずに、前記終了ページを前記複数ページの最終ページの１つ前のページにする指定をユーザから受け付け可能であることを特徴とするデータ処理装置。
【請求項９】
前記終了ページを前記１つ前のページにする指定を、前記終了ページを指定するための数値の入力をユーザから受け付けずに当該ユーザから受け付け可能とする所定のボタンを表示部に表示する表示手段を有し、
前記第２の受け付け手段は、前記所定のボタンのユーザによる指定を受け付けることで、前記終了ページを指定するための数値の入力をユーザから受け付けずに、前記終了ページを前記複数ページの最終ページの１つ前のページにする指定をユーザから受け付けることを特徴とする請求項８に記載のデータ処理装置。
【請求項１０】
前記第１の受け付け手段は、前記開始ページを指定するための数値の入力をユーザから受け付け可能であり、
当該入力された数値に基づいたページが前記開始ページとして指定されることを特徴とする請求項８または９に記載のデータ処理装置。
【請求項１１】
前記第２の受け付け手段は、前記終了ページを指定するための数値の入力をユーザから受け付け可能であり、
当該入力された数値に基づいたページが前記終了ページとして指定されることを特徴とする請求項８乃至１０の何れか１項に記載のデータ処理装置。
【請求項１２】
前記第２の受け付け手段は、前記終了ページを指定するための数値の入力をユーザから受け付けずに、前記終了ページを前記複数ページの最終ページにする指定をユーザから受け付け可能であることを特徴とする請求項８乃至１１の何れか１項に記載のデータ処理装置。
【請求項１３】
前記複数ページのうちの、前記第１の受け付け手段で受け付けた前記指定に係る前記開始ページ以降、かつ、前記第２の受け付け手段で受け付けた前記指定に係る前記終了ページ以前の各ページに異なるページ番号を付与する付与手段と、
前記異なるページ番号が付与された前記各ページを印刷する印刷手段と、
を有することを特徴とする請求項８乃至１２の何れか１項に記載のデータ処理装置。 
【請求項１４】
前記付与手段は、前記複数ページのうちの前記各ページ以外のページにはページ番号を付与せず、
前記印刷手段は、ページ番号が付与されていない前記ページ、および、ページ番号が付与されている前記ページを印刷する請求項１３に記載のデータ処理装置。
【請求項１５】
複数ページの画像を処理する画像処理装置の制御方法であって、
前記複数ページのうち、ページ番号の付与を開始する開始ページをユーザの指示に従って指定し、
ユーザからの所定の指示に従って、ページ番号の付与を終了する終了ページを指定するための数値の入力を当該ユーザから受け付けずに、当該終了ページを前記複数ページのうちの最終ページの１つ前のページに決定し、
前記指定された開始ページ以降のページであって、前記決定された前記終了ページ以前のページにページ番号を付与するよう制御することを特徴とする画像処理装置の制御方法。
【請求項１６】
複数ページのうちの、ページ番号が付与される一部のページを指定するためのデータ処理装置の制御方法であって、
ページ番号の付与を開始する開始ページの指定をユーザから受け付け、
ページ番号の付与を終了する終了ページの指定をユーザから受け付ける際に、前記終了ページを指定するための数値の入力をユーザから受け付けずに、前記終了ページを前記複数ページの最終ページの１つ前のページにする指定をユーザから受け付け可能であることを特徴とするデータ処理装置の制御方法。
【請求項１７】
請求項１乃至５、８乃至１２の何れか１項に記載の各手段として、コンピュータを機能させるためのプログラム。
【発明の詳細な説明】
【技術分野】
【０００１】
本発明は、ページ番号を付与する画像処理装置、画像処理装置の制御方法、及びプログラムに関するものである。
【背景技術】
【０００２】
従来、画像データに、ページ番号を付与する画像処理装置がある。このような画像処理装置は、１０ページの画像データを記憶し、１ページ目の画像データから１０ページ目の画像データに、ページ番号「１」〜「１０」を付与していく。
【０００３】
また、複数の原稿束を読み取って、読み取った複数の原稿束のページに連続したページ番号を付与するものも知られている。（特許文献１参照）
【先行技術文献】
【特許文献】
【０００４】
【特許文献１】特開２００７−２５８８５９号公報
【発明の概要】
【発明が解決しようとする課題】
【０００５】
しかしながら、従来技術の場合、ユーザは、複数ページの画像データのうちページ番号の付与を開始する開始ページを指示することはできなかった。
【０００６】
例えば、原稿の画像に表紙や目次のページを追加する場合に、ユーザは、表紙や目次を含めてページ番号を付与したい場合もあれば、表紙にはページ番号を付与せず、目次のみにページ番号を付与してほしい場合もある。また、表紙や目次にページ番号を付与することなく、その次のページからページ番号を付与してほしい場合もあるが、従来技術は、そのような機能を有するものではない。
【０００７】
本発明は、このような課題に鑑みてなされたものである。本発明は、複数ページの画像のうち、ユーザが望む開始ページ以降のページに、ページ番号を付与することができる仕組みを提供することを目的とする。
【課題を解決するための手段】
【０００８】
複数ページの画像を処理する画像処理装置であって、複数ページのうち、ページ番号の付与を開始する開始ページをユーザの指示に従って指定する指定手段と、ユーザからの所定の指示に従って、ページ番号の付与を終了する終了ページを指定するための数値の入力を当該ユーザから受け付けずに、当該終了ページを前記複数ページのうちの最終ページの１つ前のページに決定する決定手段と、指定手段によって指定された開始ページ以降のページであって、決定手段によって決定された前記終了ページ以前のページにページ番号を付与するよう制御する制御手段とを有することを特徴とする。
【発明の効果】
【０００９】
複数ページの画像のうち、ユーザが望む開始ページ以降のページに、ページ番号を付与することができる。
【図面の簡単な説明】
【００１０】
【図１】本実施形態に係る画像処理装置の構成を示すブロック図である。
【図２】本実施形態に係る画像処理装置の構成を示すブロック図である。
【図３】本実施形態に係る画像処理装置の構成を示す断面図である。
【図４】本実施形態に係る操作部の構成を示す図である。
【図５】本実施形態に係る操作画面を示す図である。
【図６】本実施形態に係る操作画面を示す図である。
【図７】本実施形態に係る操作画面を示す図である。
【図８】本実施形態に係る操作画面を示す図である。
【図９】本実施形態に係る操作画面を示す図である。
【図１０】本実施形態に係る操作画面を示す図である。
【図１１】ページ番号が付与された画像データの例を示す図である。
【図１２】本実施形態に係る制御例を示すフローチャートである。
【図１３】本実施形態に係る操作画面を示す図である。
【図１４】本実施形態に係る操作画面を示す図である。
【図１５】ページ番号が付与された画像データの例を示す図である。
【図１６】本実施形態に係る制御例を示すフローチャートである。
【図１７】本実施形態に係る操作画面を示す図である。
【図１８】ページ番号が付与された画像データの例を示す図である。
【発明を実施するための形態】
【００１１】
＜第１の実施形態＞
以下、本発明を実施するための最良の形態について図面を用いて説明する。
【００１２】
図１は、本発明の実施形態を示す画像処理装置の一例としての多機能周辺機器（ＭＦＰ：Ｍｕｌｔｉ−Ｆｕｎｃｔｉｏｎ  Ｐｅｒｉｐｈｅｒａｌ）の構成を示す図である。
【００１３】
図１において、コントローラ１０１は、ＭＦＰ１００を統括的に制御するためのコントローラである。コントローラ１０１の詳細は、図２を用いて後述する。
【００１４】
スキャナ１０２は、原稿の画像を読み取って、画像データを生成する。
【００１５】
プリンタエンジン１０３は、給紙カセットと、画像形成部を備え、給紙カセットからシートを給紙し、給紙されたシートに画像を印刷する。
【００１６】
フィニッシャ１０４は、プリンタエンジン１０３によって画像が印刷されたシートに対して後処理を実行する。後処理の種類は、ステイプル、パンチ、シフト等がある。
【００１７】
ネットワークインタフェース１０５は、ＭＦＰ１００と外部のＰＣ（Ｐｅｒｓｏｎａｌ  Ｃｏｍｐｕｔｅｒ）１０７との間でネットワークを介して行われるデータ通信を制御する。なお、ＭＦＰ１００は、外部のＰＣ以外に、ネットワークインタフェース１０５を介して他のＭＦＰやサーバとも通信する。
【００１８】
操作部１０６は、タッチパネルシートを備えるＬＣＤディスプレイと、ハードキーから構成されている。タッチパネルシートを備えるＬＣＤディスプレイは、操作画面を表示し、ユーザからタッチパネルシートを介して受け付けた操作をコントローラ１０１に伝える。
【００１９】
図２は、図１に示すＭＦＰ１００のハードウェア構成を示す図である。
【００２０】
コントローラ１０１は、ＣＰＵ２０１、メモリ２０２、液晶ディスプレイ、キーボード２０４、ネットワークインタフェース２０５、ＲＯＭ２１０、ＤＩＳＫ２１１を備え、これらは、バス２０９を介して接続されている。
【００２１】
ＣＰＵ２０１は、バスを介して各ユニットとデータをやり取りし、ＭＦＰ１００を統括的に制御する。
【００２２】
メモリ２０２は、ＣＰＵ１０１の作業領域として機能する。メモリ２０２は、ＤＲＡＭのような不揮発性メモリで構成されていても、ＳＲＡＭのような揮発性メモリで構成されていてもよく、その両方で構成されていてもよい。
【００２３】
液晶ディスプレイ２０３、キーボード２０４は、図１の操作部１０６を構成するものである。
【００２４】
液晶ディスプレイ２０３は、ＣＰＵ２０１から送られた表示データを、不図示のメモリに記憶し、記憶された画像データに従って各種画面を表示する。また、液晶ディスプレイ２０３は、タッチパネルシートを有し、当該タッチパネルシートを介して受け付けた操作を示す信号をＣＰＵ２０１に伝える。
【００２５】
キーボード２０４は、スタートキーやストップキー、テンキーからなるハードキーを有し、ユーザからの操作を受け付け、受け付けた操作を示す信号をＣＰＵ２０１に伝える。
【００２６】
ＣＰＵ２０１は、液晶ディスプレイ２０３や、キーボード２０４から受け付けた信号に従って処理を実行する。
【００２７】
ネットワークインタフェース２０５は、図１のネットワークインタフェース１０５に該当し、ＭＦＰ１００と外部のＰＣ（Ｐｅｒｓｏｎａｌ  Ｃｏｍｐｕｔｅｒ）１０７とのデータ通信を制御する。
【００２８】
ＲＯＭ２１０は、ＣＰＵ２０１によって読み出される各種プログラム及びデータを記憶する。
【００２９】
ＤＩＳＫ２１１は、ＣＰＵ２０１によって読み出される各種プログラム及びデータを記憶する。例えば、画像データも、ＤＩＳＫ２１１に記憶される。
【００３０】
モデム２１２は、ＭＦＰ１００が、電話回線を介して外部装置と行うファクシミリ通信を制御する。
【００３１】
画像処理部２１３は、画像データの回転処理や、画像データに対するページ番号の付与、日付の付与、スタンプの付与、他の画像データの合成等の画像処理を行う。
【００３２】
また、バス２０９には、プリンタ２０６、フィニッシャ２０７、スキャナ２０８が接続されている。プリンタ２０６、フィニッシャ２０７、スキャナ２０８は、それぞれ、図１に示すプリンタ１０３、フィニッシャ１０４、スキャナ１０２に対応するものである。
【００３３】
ＣＰＵ２０１は、以上の構成を使って、コピージョブや、プリントジョブ、ＦＡＸ送信ジョブ、ＦＡＸ受信ジョブ、スキャン送信ジョブ、スキャン格納ジョブといった各種ジョブを実行する。
【００３４】
コピージョブとは、スキャナ２０８によって原稿の画像を読み取って、画像データを生成し、生成された画像データに従って、プリンタ２０６によってシートに画像を印刷するジョブである。
【００３５】
プリントジョブとは、ネットワークインタフェース２０５を介して外部のＰＣや他のＭＦＰから受信したＰＤＬデータを解析及び展開し、生成された画像データに従って、プリンタ２０６によってシートに画像を印刷するジョブである。なお、プリントジョブは、操作部１０６からの指示に基づき、ＤＩＳＫ２１１に記憶された画像データに従って、シートに画像を印刷するＢＯＸプリントジョブであってもよい。
【００３６】
ＦＡＸ送信ジョブとは、スキャナ２０８によって原稿の画像を読み取って、画像データを生成し、生成された画像データを、モデム２１２を介して外部の装置にファクシミリ送信するジョブである。
【００３７】
ＦＡＸ受信ジョブとは、モデム２１２を介して外部の装置からファクシミリ受信した画像データに従って、プリンタ２０６によってシートに画像を印刷するジョブである。
【００３８】
スキャン送信ジョブとは、スキャナ２０８によって原稿の画像を読み取って、画像データを生成し、生成された画像データをネットワークインタフェース２０５を介して外部の装置に送信するジョブである。
【００３９】
スキャン格納ジョブとは、スキャナ２０８によって原稿の画像を読み取って、画像データを生成し、生成された画像データをＤＩＳＫ２１１に格納するジョブである。なお、スキャン格納ジョブは、スキャナ２０８によって原稿の画像を読み取って、画像データを生成し、生成された画像データをＭＦＰ１００に着脱可能なメモリに格納するジョブであってもよい。
【００４０】
以上のように、ＭＦＰ１００のＣＰＵ２０１は、各種のジョブを実行することができる。そして、シートに画像を印刷するジョブに対して、フィニッシャ１０４による後処理の実行が指定されている場合、ＣＰＵ２０１は、そのジョブを実行し、画像が印刷されたシートに対してフィニッシャ１０４によって後処理を実行する。
【００４１】
次に、図３を用いて、本実施形態に係るＭＦＰ１００の構成を説明する。
【００４２】
図３は、ＭＦＰ１００の構成を示す断面図である。ＭＦＰ１００は、スキャナ部とプリンタ部から構成されている。
【００４３】
スキャナ部では、自動原稿搬送装置３０１（ＡＤＦ）に積載された原稿がその積載順に従って、先頭から順次１枚ずつ原稿流し読み位置へ搬送される。その後、原稿は、原稿流し読み位置においてスキャンされ、原稿排出トレイ３０３に排出される。
【００４４】
原稿を誘導する搬送路には、ステッピングモータによって駆動される搬送ローラ３０５、原稿の先端、後端を検知する原稿検知センサ３０６が設けられている。
【００４５】
自動原稿搬送装置３０１に積載された原稿は、ステッピングモータによって駆動される搬送ローラ３０５によって、原稿流し読み位置を一定の速度で通過する。この場合、光学ユニット３０７は、原稿流し読み位置に移動し、等速で搬送される原稿を光源によって照射する。原稿からの反射光は、複数のミラー３０８、３０９、３１０、及び、レンズ３１１を介して色分解フィルタを備えたＣＣＤイメージセンサ（以下、「ＣＣＤ」と称する。）３１２へ導かれる。これにより、走査された原稿の画像がＣＣＤ３１２によって色分解されて読み取られる。ＣＣＤ３１２によって随時読み取ることで色ごと（Ｒ、Ｇ、Ｂ）の画像データが生成され、当該画像データはＭＦＰ制御部に転送される。
【００４６】
プリンタ部は、シアン（Ｃ）、マゼンタ（Ｍ）、イエロー（Ｙ）、ブラック（Ｋ）のトナーによって画像を形成するための４つの現像ユニットを有し、カラー画像及びモノクロ画像を形成する。
【００４７】
プリンタ部は、レーザ露光部４０１、回転多面鏡（ポリゴンミラー）４０６、感光ドラム４０２、作像部４０３、定着部４０４、フラッパ４０７、反転パス４０５、ローラ４０９、両面搬送パス４０８を有する。また、プリンタ部は、給紙カセット４１１〜４１５を有する。なお、給紙カセット４１５は、給紙デッキともいう。
【００４８】
レーザ露光部４０１は、画像データに応じて変調されたレーザ光などの光線を等角速度で回転する回転多面鏡（ポリゴンミラー）４０６に入射させ、反射走査光として感光ドラム４０２に照射する。
【００４９】
作像部４０３は、感光ドラム４０２を回転駆動し、帯電器によって帯電させた後、レーザ露光部４０１によって感光ドラム４０２上に形成された潜像をトナーによって現像する。そして、そのトナー像を印刷用紙に転写し、その際に転写されずに感光ドラム４０２上に残った微小トナーを回収するといった一連の電子写真プロセスの現像ユニット（現像ステーション）を４つ持つことで実現している。シアン（Ｃ）、マゼンタ（Ｍ）、イエロー（Ｙ）、ブラック（Ｋ）の順に並べられた４つの現像ユニットは、シアンの現像ユニットによる作像開始から所定時間経過後に、マゼンタ、イエロー、ブラックの現像ユニットによる作像を順次実行していく。このタイミング制御によって、印刷用紙上に色ずれのない、カラー画像が転写される。
【００５０】
定着部４０４は、ローラやベルトの組み合わせによって構成され、ハロゲンヒータなどの熱源を内蔵し、作像部４０３によってトナー像が転写された印刷用紙上のトナーを、熱と圧力によって溶解、定着させる。
【００５１】
給紙カセット４１１〜４１５は、それぞれシートを収納している。ＭＦＰ１００は、給紙カセット４１１〜４１５のうちのいずれかからシートを給紙し、給紙されたシートを搬送ベルトによって作像部４０３に搬送する。このように搬送されたシートに対して、作像部４０３で作像された画像を転写する。そして、転写された画像を定着部４０４によってシートに定着させる。そして、ＭＦＰ１００は、画像が形成された面を下に向けてシートを排紙する場合（フェイスダウン排紙をする場合）、フラッパ４０７によってシートを反転パス４０５に導き、反転させたシートを排紙トレイ４１０に排紙する。一方、画像が形成された面を上に向けてシートを排紙する場合（フェイスアップ排紙をする場合）、フラッパ４０７によってシートを反転パス４０５に導かずに、シートを排紙トレイ４１０に排紙する。
【００５２】
また、シートの両面に画像を印刷する場合、フラッパ４０７によってシートを反転パス４０５に導き、シートの後端をローラ４０９によって挟持させた後、そのシートを両面搬送パス４０８に導く。両面搬送パス４０８に導かれたシートは、再び作像部４０３まで搬送され、シートの裏面に作像部４０３によって画像が印刷される。裏面に画像が印刷されたシートは、排紙トレイ４１０に排紙される。
【００５３】
このようにして、ＭＦＰ１００は、シートにカラー画像を印刷する。なお、モノクロ画像をシートに印刷する場合は、作像部４０３のブラックの現像ユニットのみ駆動し、給紙カセット４１１〜４１５のいずれかより給紙されたシートに黒トナーを用いて画像の印刷を行う。
【００５４】
なお、給紙カセット４１１〜４１５には、それぞれ、給紙カセット内（収納部内）のシートの残量を検知するシート検知センサが備えられており、ＣＰＵ２０１は、各シート検知センサからの信号に従って、各給紙カセット４１１〜４１５のシートの残量を把握する。
なお、本実施形態に係るＭＦＰ１００は、電子写真方式で印刷を行うものであるが、インクジェット方式で印刷を行うものであってもかまわない。
【００５５】
次に、図４を用いて、操作部１０６の構成を説明する。
【００５６】
液晶表示部７０１は、タッチパネルシートが貼られており、操作画面やＭＦＰ１００の状態を表示する。
【００５７】
スタートキー７０２は、ジョブの実行開始指示を受け付けるために押下されるものである。スタートキー７０２が押されることによって、スキャンジョブや、スキャン送信ジョブ、ＢＯＸプリントジョブの実行が開始される。
【００５８】
スタートキー７０２の中央部には、緑と赤の２色ＬＥＤ４０３が設けてあり、その色によってスタートキー７０２が使える状態にあるかどうかを示す。
【００５９】
ストップキー７０４は、実行中のジョブを中止する場合に押下されるものである。
【００６０】
テンキー７０５は、複数の数字キーと複数の文字キーで構成されており、コピー部数を設定するために押下される。
【００６１】
ユーザモードキー７０６は、ＭＦＰ１００の機器設定を行うために押下される。
【００６２】
以上のような構成を有するＭＦＰ１００は、原稿の画像を読み取って、生成された画像データにページ番号を付加する機能を有する。また、ＭＦＰ１００は、外部のＰＣから画像データを受信し、受信した画像データにページ番号を付加する機能を有する。
【００６３】
図５を用いて、ページ番号を付加するための設定について説明する。
【００６４】
図５（ａ）に示す画面５０１は、操作部１０６に表示される初期画面である。この初期画面は、コピージョブの設定を行うための画面であり、ユーザは、この画面を操作して、コピー倍率や、コピーに用いるシートまたは給紙カセットの選択を行うことができる。
【００６５】
また、ユーザは、応用モードボタン５０２を押下することにより、様々な機能の設定を行うことができる。
【００６６】
応用モードボタン（その他の機能ボタン）５０２が押下されると、図５（ｂ）に示す画面５０３が操作部１０６に表示される。
【００６７】
画面５０３には、「地紋印字」機能、「表紙」機能、「挿入紙」機能、「ページ印字」機能等の詳細な設定を行うことができる。
【００６８】
ユーザは、「ページ印字」キー５８０を押下することによって、ページ印字機能の詳細な設定を行うための画面を表示させることができる。
【００６９】
ユーザは、「表紙」キー５８１を押下することによって、表紙や裏表紙の設定を行うための画面を表示させることができる。
【００７０】
ユーザは、「挿入紙」キー５８２を押下することによって、合紙等の挿入紙の設定を行うための画面を表示させることができる。
【００７１】
「ページ印字」キー５８０が押されると、図６（ａ）に示す画面５０４が操作部１０６に表示される。
【００７２】
ボタン群５０５は、ページ印字の種類を設定するボタンである。ユーザは、ボタン群５０５から、「数字のみ」「ハイフン付き数字」「章付き数字」「総ページ付き数字」のいずれかを選択することができる。
【００７３】
図６（ａ）の画面では、「数字のみ」ボタンが選択されており、「数字のみ」ボタンの色が反転している。
【００７４】
「画像向き縦」ボタン５０６および「画像向き横」ボタン５０７はページ印字で付加する文字の向きを設定するボタンであり、ユーザは、どちらかを選択して設定することができる。
【００７５】
「印字位置設定」ボタン５０８は、ページ番号の印字位置を設定するためのボタンであり、ユーザは、「左上」「上」「右上」「左下」「下」「右下」のいずれかの矢印ボタンを押すことによって、ページ番号の印字位置を設定することができる。
【００７６】
この図では「下」が選択されており、中央に印字位置の出力イメージ５０９が表示されている。
【００７７】
「印字色」メニュー５１０は、色を設定するためのメニューであり、ユーザによって押下されると、プルダウン形式で複数の色のリストが表示される。ユーザは、その中から、ページ番号の色を選択することができる。
【００７８】
「印字サイズ」ボタン５１１は、ページ番号の大きさを指定するボタンであり、ユーザによって押下されると、プルダウン形式で複数のポイント数が表示される。ユーザは、その中から、ページ番号の大きさを選択することができる。
【００７９】
「印字開始数字」入力エリア５１２は、印字開始数字を指定するためのエリアである。印字開始数字とは、印刷されるページ番号の開始値であり、ここで設定された値をもとに、インクリメントした数字がページ番号として印刷される。ユーザは、当該エリアを選択した後、テンキー４０５を操作することによって印字開始数字を指定することができる。例えば、印字開始数字として３を指定した場合、ＣＰＵ２０１は、ページ番号を３から順に付加するよう制御する。
【００８０】
「範囲指定」ボタン５２０は、印刷されるどのシートにページ番号を付加するかを指定するために押下されるボタンである。「範囲指定」ボタン５２０が押されると、図１０に示す画面が操作部１０６に表示される。図１０に示す画面の詳細は後述する。
【００８１】
「詳細設定」ボタン５１３は、さらに詳細なページ印字の動作を設定するときに押下されるボタンである。「詳細設定」ボタン５１３が押されると、図６（ｂ）に示す画面５１６に示す画面が操作部１０６に表示される。
【００８２】
ＯＫボタン５１５は、図６（ａ）の画面を介して設定された内容を有効にして、図６（ａ）の画面の表示を終了するためのボタンである。
【００８３】
図６（ｂ）の「表示桁数」ボタン５１７は、ページ番号の桁数を設定するために押下されるボタンである。ページ番号の桁数は、初期値として１桁が設定されている。「表示桁数」ボタン５１７が押下されると図７（ａ）に示す画面５２１が操作部１０６に表示される。
【００８４】
図７（ａ）に示す「桁」入力エリア５２２は、ページ番号の桁数を設定するエリアである。ユーザは、当該エリアを選択し、プラスキーマイナスキーを使用して値を増減させる。例えば、ページ番号の桁数が「２」に設定された場合、ページ番号は、「０１」や「０２」のような形態で付加される。ページ番号の桁数が「３」に設定された場合、ページ番号は、「００１」、「００２」のような形態で付加される。「設定取消」ボタン５２３は、「桁」入力エリア５２２で設定された値を有効にせずに、図６（ｂ）に画面を戻すために押されるボタンである。「ＯＫ」ボタン５２４は、「桁」入力エリア５２２で設定された値を有効にし、図６（ｂ）に画面を戻すために押されるボタンである。
【００８５】
図６（ｂ）に示す「文字列付加」ボタン５１８は、ページ番号の周りに文字列を付加するために押下されるボタンである。「文字列付加」ボタン５１８が押されると、図７（ｂ）に示す画面５２５が操作部１０６に表示される。
【００８６】
図７（ｂ）の「入力」ボタン５２６は、ページ番号の周りに付加する文字列を指定するために押下される。「入力」ボタン５２６が押下されると、図８（ａ）に示す文字列入力画面５３２が操作部１０６に表示される。画面５３２のソフトキーボード５３３を使用して、ユーザは任意の文字列を入力する。入力した文字列をキャンセルしたい場合、ユーザは「キャンセル」ボタン５３４を押下し、入力した文字列を有効にしたい場合、ユーザは「ＯＫ」ボタン５３５を押下する。「ＯＫ」ボタン５３５が押下されると、再び画面５２５が操作部１０３に表示される。
【００８７】
登録文字列表示エリア５２８は、すでに登録されている文字列を表示するエリアである。「登録」ボタン５２９は、登録文字列を追加するため押下される。「登録」ボタン５２９が押下されると、図８（ｂ）に示す画面５３６が操作部１０６に表示される。
【００８８】
「登録」ボタン５３８が押されると、図８（ｂ）に示す画面５３６が操作部１０６に表示され、画面５３６を介してユーザによって設定した文字列が登録され、登録された文字列がエリア５３７に表示される。
【００８９】
ユーザは、このエリア５３７にある文字列を選択して「編集」ボタン５３９を押下すると、画面５３２は表示されずに、既に登録されている文字列を編集することができる。
【００９０】
ユーザは、このエリア５３７にある文字列を選択して「削除」ボタン５４０を押下すると、選択された文字列が削除される。
【００９１】
ユーザは「登録」、「編集」、「削除」の作業が終わったら「閉じる」ボタン５４１を押下する。「閉じる」ボタン５４１が押下されると、画面５２５が操作部１０６に表示される。
【００９２】
画面５２５のボタン群５２７は、文字列を付加する位置を設定するためのボタンである。ユーザは、ボタン群を使用して、文字列を付加する位置を選択することができる。なお、選択された位置に応じて、ページ番号と文字列の印字イメージが中央に表示される。
【００９３】
文字列の付加設定を取り消したい場合、ユーザは「設定取消」ボタン５３０を押下する。文字列の付加設定を有効にしたい場合、ユーザは「ＯＫ」ボタン５３１を押下する。「設定取消」ボタン５３０または「ＯＫ」ボタン５３１が押下されると、操作部１０６に画面５１６が表示される。
【００９４】
「挿入紙のカウント」ボタン５１９は、挿入紙設定により合紙の挿入を実施した場合に、挿入した合紙をページ数のカウントに含めるか否かを指定する場合に押下する。押下すると図９の画面５４２が操作部１０６に表示される。
【００９５】
「カウントする」ボタン５４３と「カウントしない」ボタン５４４とがあり、ユーザは、それらのいずれかを選択することにより、挿入紙をカウントする、しないを設定することができる。設定が終了したら「ＯＫ」ボタン５４５を押下する。「ＯＫ」ボタン５４５が押下されると、設定が有効になり、画面５１６が操作部１０６に表示される。
【００９６】
なお、図６（ｂ）の画面の「ＯＫ」ボタン５２０が押されたら、図６（ａ）に示す画面が操作部１０６に表示される。
【００９７】
図１０は、図６（ａ）に示す画面５０４において、「範囲指定」ボタン５２０が押されたときに操作部１０６に表示される画面である。ユーザは、この画面を介して、印刷される何枚目のシートから何枚目のシートまでにページ番号を付加するかを指定する。
【００９８】
図１０の画面１７０３の「全ページ」ボタン１７０４は、印刷される全てのシートに対してページを付加するよう指定するためのボタンである。
【００９９】
「指定ページ」ボタン１７０５は、印刷されるシートの任意のページに対してページを付加するよう指定するためのボタンである。「指定ページ」ボタン１７０５が押された場合、「指定ページの範囲設定」の欄で、ユーザは、印刷されるどのシートにページ番号を印刷するかを指定する。
【０１００】
「開始ページ」ボタン１７０６は、印刷される画像データの何ページ目からページ番号を印刷するかを指定するためのボタンである。初期値は「１」ページに設定されている。ユーザが、「開始ページ」ボタン１７０６を指定すると、数値を入力するためのソフトウェアキーボードが操作部１０６に表示され、当該ソフトウェアキーボードを介して数値を入力し、ソフトウェアキーボードのＯＫボタンでその数値を決定することができる。また、ユーザは、「開始ページ」ボタン１７０６が選択された状態で、テンキー７０５によって数値を入力することもできる。
【０１０１】
「最終ページまで」ボタン１７０７、「最終ページにはプリントしない」ボタン１７０８、「終了ページ」ボタン１７０９は、印刷される画像データの何ページ目までページ番号を印刷するかを設定するためのボタンである。
【０１０２】
「最終ページまで」ボタン１７０７は、最後のページまでページ番号を印刷するために押下されるボタンである。
【０１０３】
「最終ページにはプリントしない」ボタン１７０８は、最後のページの１つ前のページまでページ番号を付加するよう指定するボタンである。
【０１０４】
「終了ページ」ボタン１７０９は、印刷される画像データの何ページ目までページ番号を付加するかをユーザが数値で指定するためのボタンである。つまり、「終了ページ」ボタン１７０９で数値が指定された場合、ＣＰＵ２０１は、「開始ページ」ボタン１７０６で指定された開始ページ以降のページで、「終了ページ」ボタン１７０９で指定された終了ページ以前のページにページ番号を付与するよう制御する。初期値は「１」ページに設定されている。ユーザが、「終了ページ」ボタン１７０６を指定すると、数値を入力するためのソフトウェアキーボードが操作部１０６に表示され、当該ソフトウェアキーボードを介して数値を入力し、ソフトウェアキーボードのＯＫボタンでその数値を決定することができる。また、ユーザは、「開始ページ」ボタン１７０６が選択された状態で、テンキー７０５によって数値を入力することもできる。
【０１０５】
「設定取消」ボタン１７１０は、図１０の画面１７０３で設定された内容をキャンセルして、図６（ａ）に示す画面５０４に戻るために押下されるボタンである。
【０１０６】
「ＯＫ」ボタン１７１１は、図１０の画面１７０３で設定された内容を登録して、図６（ａ）に示す画面５０４を表示するために押下されるボタンである。
【０１０７】
なお、上述した図５〜図１０の画面を介して有効に設定された内容は、ＣＰＵ２０１が、後から参照できるように、ＤＩＳＫ２１１に保存しておく。
【０１０８】
図１１は、ページ番号の付与の例を説明するための図である。なお、ページ番号の付与位置は、中央下に設定されており、表示桁数は１桁、文字列付加や挿入紙のカウントはＯＦＦに設定されているものとする。
【０１０９】
図１１（ａ）は、ページ番号を付与する前の画像データ３００１（元画像データ）を示す。この画像データ３００１は、スキャナ部によって原稿が読み取られて、生成されたものであってもよいし、外部装置から受信されたものであってもよい。
【０１１０】
画像データ３００１は、８ページの画像データで構成される。
【０１１１】
図１１（ｂ）は、図１０に示す「全ページ」ボタン１７０４で全ページにページ番号を付与するよう指定され、図６（ａ）に示す「印字開始数字」で「１」が指定された場合に、画像データ３００１に付与されるページ番号の例を示す。画像データ３００２は、８ページの画像データの全ページにページ番号が付与されている。
【０１１２】
図１１（ｃ）は、次の設定がされた場合に、画像データ３００１に付与されるページ番号の例である。
・図６（ａ）に示す「印字開始数字」５１２で「１」が指定される。
・図１０に示す「指定ページ」ボタン１７０５で一部のページにページ番号を付与するよう指定される。
・図１０に示す「開始ページ」１７０６で「４」が指定される。
・図１０に示す「最終ページまで」ボタン１７０７が指定される。なお、「最終ページまで」ボタン１７０７の指定の代わりに、図１０に示す「終了ページ」１７０９で「８」が指定されてもよい。
【０１１３】
このとき、画像データ３００３には、４〜８ページ目の画像データに、ページ番号「１」〜「５」が付与される。
【０１１４】
図１１（ｄ）は、次の設定がされた場合に、画像データ３００１に付与されるページ番号の例である。
・図６（ａ）に示す「印字開始数字」５１２で「４」が指定される。
・図１０に示す「指定ページ」ボタン１７０５で一部のページにページ番号を付与するよう指定される。
・図１０に示す「開始ページ」１７０６で「４」が指定される。
・図１０に示す「最終ページまで」ボタン１７０７が指定される。なお、「最終ページまで」ボタン１７０７の指定の代わりに、図１０に示す「終了ページ」１７０９で「８」が指定されてもよい。
【０１１５】
このとき、画像データ３００３には、４〜８ページ目の画像データに、ページ番号「４」〜「８」が付与される。
【０１１６】
ユーザは、原稿１〜原稿３が表紙や目次、挿絵ページで構成され、それら表紙や目次、挿絵ページにはページ番号を付与したくない場合に、図１１（ｃ）や（ｄ）の設定をすることによって、所望の出力物を手に入れることができる。
【０１１７】
図１１（ｅ）は、次の設定がされた場合に、画像データ３００１に付与されるページ番号の例である。
・図６（ａ）に示す「印字開始数字」５１２で「３」が指定される。
・図１０に示す「指定ページ」ボタン１７０５で一部のページにページ番号を付与するよう指定される。
・図１０に示す「開始ページ」１７０６で「３」が指定される。
・図１０に示す「最終ページにはプリントしない」ボタン１７０８が指定される。なお、「最終ページにはプリントしない」ボタン１７０８の指定の代わりに、図１０に示す「終了ページ」１７０９で「７」が指定されてもよい。
【０１１８】
ユーザは、原稿１〜原稿２が表紙や目次、挿絵ページで構成され、原稿８が裏表紙で構成され、それら表紙や目次、挿絵ページ、裏表紙にはページ番号を付与したくない場合に、図１１（ｅ）の設定をすることによって、所望の出力物を手に入れることができる。
【０１１９】
図１１（ｆ）は、次の設定がされた場合に、画像データ３００１に付与されるページ番号の例である。
・図６（ａ）に示す「印字開始数字」５１２で「１」が指定される。
・図１０に示す「指定ページ」ボタン１７０５で一部のページにページ番号を付与するよう指定される。
・図１０に示す「開始ページ」１７０６で「４」が指定される。
・図１０に示す「終了ページ」１７０９で「６」が指定される。
【０１２０】
ユーザは、原稿１〜原稿３が表紙や目次、挿絵ページで構成され、原稿７〜原稿８が挿絵ページや、裏表紙で構成され、それら表紙や目次、挿絵ページ、裏表紙にはページ番号を付与したくない場合に、図１１（ｆ）の設定をし、所望の出力物を手に入れられる。
【０１２１】
このように、本実施形態によれば、様々なページ番号の印刷を容易に行うことができる。
【０１２２】
次に、このようなページ番号の付与方法について、図１２のフローチャートを用いて説明する。図１２のフローチャートに示す処理は、ＣＰＵ２０１が、ＲＯＭ２１０またはＤＩＳＫ２１１に記憶されたプログラムを読み出して実行することによって行われる。
【０１２３】
なお、図１２のフローチャートに示す処理は、ユーザから画像データの出力指示があった場合に開示される。
【０１２４】
コピージョブの場合、ＣＰＵ２０１が、操作部１０６に操作画面を表示し、出力設定をページの出力設定を受け付ける。例えば、ＣＰＵ２０１は、図５〜図１０を用いて説明した操作画面を操作部１０６に表示し、操作部１０６を介して、ユーザから出力設定を受け付ける。ＣＰＵ２０１は、受け付けた設定を、ＤＩＳＫ２１１に保存しておく。その後、ユーザから、操作部１０６のスタートキー７０２が押されたことに従って、図１２のフローチャートに示す処理が開始される。
【０１２５】
プリントジョブの場合、ＣＰＵ２０１は、外部のＰＣ１０７から画像データの出力指示を受け付ける。この場合、ユーザは、例えば、ＰＣ１０７のアプリケーションソフトで画像データを作成し、ＰＣ１０７のプリンタドライバを起動し、図５〜図１０に相当する画面をＰＣ１０７の表示部に表示し、出力設定を行う。このとき、ＰＣ１０７のＣＰＵは、ユーザから受け付けた出力設定をＰＣ１０７のメモリに保存しておき、プリンタドライバを介して印刷開始指示を受け付けた場合に、メモリに保存された出力設定と画像データとをＭＦＰ１００に送信する。ＭＦＰ１００のＣＰＵ２０１は、ＰＣ１０７によって送信された出力設定をＤＩＳＫ２１１に保存しておく。
【０１２６】
ＣＰＵ２０１は、画像データの出力指示を受け付けると、Ｓ４００１で、ページ番号の付与対象となる画像データの取得を開始する。コピージョブの場合、スキャナ１０２によって原稿の画像の読み取りを開始する。そして、ＣＰＵ２０１は、スキャナ１０２によって生成された画像データの取得を開始する。ＣＰＵ２０１は、取得した画像データをＤＩＳＫ２１１に保存する。プリントジョブの場合、ＣＰＵ２０１は、画像データの受信を開始する。ＣＰＵ２０１は、受信した画像データをＤＩＳＫ２１１に保存する。
【０１２７】
Ｓ４００２で、ＣＰＵ２０１は、Ｓ４００１で取得された画像データの全ページにページ番号を付与するか、指定されたページにページ番号を付与するかを判定する。Ｓ４００１で取得された画像データの全ページにページ番号を付与すると判定された場合、ＣＰＵ２０１は、Ｓ４００３に処理を進める。一方、Ｓ４００１で取得された画像データの指定されたページにページ番号を付与すると判定された場合、ＣＰＵ２０１は、Ｓ４００９に処理を進める。
【０１２８】
Ｓ４００３で、ＣＰＵ２０１は、変数ｉをメモリ２０２に用意し、変数ｉに初期値１を代入する。
【０１２９】
Ｓ４００４で、ＣＰＵ２０１は、変数Ｐをメモリ２０２に用意し、変数Ｐに、印字開始数字５１２で指定された開始数字を代入する。
【０１３０】
Ｓ４００５で、ＣＰＵ２０１は、ｉページ目の画像データにページ番号「Ｐ」を付与する。
【０１３１】
Ｓ４００６で、ＣＰＵ２０１は、全ページにページ番号を付与したか否かを判定する。全ページにページ番号を付与したと判定した場合に、ＣＰＵ２０１は、処理を終了する。一方、全ページにページ番号を付与していないと判定した場合に、ＣＰＵ２０１は、Ｓ４００７に処理を進める。
【０１３２】
Ｓ４００７で、ＣＰＵ２０１は、ｉをインクリメントする。
【０１３３】
Ｓ４００８で、ＣＰＵ２０１は、Ｐをインクリメントし、Ｓ４００５に処理を進める。
【０１３４】
Ｓ４００３〜Ｓ４００８に示す処理によって、画像データの全ページにページ番号が付与されることになる。
【０１３５】
一方、Ｓ４００２からＳ４００９に処理を進めた場合について説明する。
【０１３６】
Ｓ４００９で、ＣＰＵ２０１は、変数ｉをメモリ２０２に用意し、変数ｉに初期値１を代入する。
【０１３７】
Ｓ４０１０で、ＣＰＵ２０１は、変数ｋをメモリ２０２に用意し、変数ｋに図１０の「開始ページ」ボタン１７０６で指定された開始ページの値を代入する。
【０１３８】
Ｓ４０１１で、ＣＰＵ２０１は、変数ｍをメモリ２０２に用意し、変数ｍに図１０のボタン１７０７〜１７０９のいずれかで指定された終了ページの値を代入する。
【０１３９】
「最終ページまで」１７０７が指定されている場合、ＣＰＵ２０１は、Ｓ４００１で取得された画像データの最終ページの値を代入する。ＣＰＵ２０１は、Ｓ４００１で画像データの取得を開始したが、Ｓ４０１１の時点で全ての画像データが取得されていない場合がある。そのような場合、ＣＰＵ２０１は、Ｓ４０１１の時点で確定している最終ページをｍに代入し、それ以降の処理を実行している間に、順次取得された画像データの最終ページの値でｍを更新していけばよい。
【０１４０】
また、「最終ページにはプリントしない」ボタン１７０８が指定されている場合、ＣＰＵ２０１は、Ｓ４００１で取得された画像データの（最終ページ−１）の値を代入する。ここでも、ＣＰＵ２０１は、Ｓ４００１で画像データの取得を開始したが、Ｓ４０１１の時点で全ての画像データが取得されていない場合がある。そのような場合、ＣＰＵ２０１は、Ｓ４０１１の時点で確定している最終ページから１を減算した値をｍに代入し、それ以降の処理を実行している間に、順次取得された画像データの最終ページから１を減算した値でｍを更新していけばよい。
【０１４１】
また、「終了ページ」ボタン１７０９によって終了ページの値が指定されている場合、ＣＰＵ２０１は、指定された終了ページの値をｍに代入する。
【０１４２】
Ｓ４０１２で、ＣＰＵ２０１は、変数Ｐをメモリ２０２に用意し、変数Ｐに、印字開始数字５１２で指定された開始数字を代入する。
【０１４３】
Ｓ４０１３で、ＣＰＵ２０１は、ｉがｍに等しいか否かを判定する。ｉがｍに等しいと判定した場合、ＣＰＵ２０１は、処理を終了する。ｉがｍに等しくない場合、ＣＰＵ２０１は、Ｓ４０１４に処理を進める。
【０１４４】
Ｓ４０１４で、ＣＰＵ２０１は、ｉがｋ以上であるか否かを判定する。ｉがｋ以上であると判定した場合、ＣＰＵ２０１はＳ４０１５に処理を進め、ｉがｋ未満であると判定した場合、ＣＰＵ２０１はＳ４０１５の処理を実行せずにＳ４０１６に処理を進める。
【０１４５】
Ｓ４０１６で、ＣＰＵ２０１は、ｉの値をインクリメントする。
【０１４６】
Ｓ４０１７で、ＣＰＵ２０１は、Ｐの値をインクリメントし、Ｓ４０１３に処理を進める。
【０１４７】
以上のような制御を行うことによって、複数ページの画像のうち、ユーザが望むページ以降のページに、容易にページ番号を付与することができる。例えば、図１１に示すような種々の方法で、ページ番号が付与された出力結果を得ることができる。
【０１４８】
そして、コピージョブの場合、ＣＰＵ２０１は、このような方法でページ番号が付与された複数ページの画像データに従って、プリンタ２０６によってシートに画像を印刷する。
【０１４９】
なお、本発明は、コピージョブ以外にも、スキャナ２０８によって原稿の画像を読み取って生成された原稿の画像データにページ番号を付与して外部の装置に送信するスキャン送信ジョブに適用することもできる。また、スキャナ２０８によって原稿の画像を読み取って生成された原稿の画像データをＤＩＳＫ２１１に保存するスキャン格納ジョブに適用することもできる。さらに、ＤＩＳＫ２１１に保存された画像データにページ番号を付与し、当該画像データに従って画像をシートに印刷するＢＯＸプリントジョブにも適用することができる。
【０１５０】
＜第２の実施形態＞
第１の実施形態に係る発明では、ユーザがページ番号の開始ページを指定し、複数のページの画像データのうち、指定した開始ページからページ番号を付与する例を説明した。それによって、ユーザは、ユーザが望むページ以降のページに、容易にページ番号を付与することができる。
【０１５１】
第２の実施形態では、複数のページの画像データに表紙を追加する場合に、ユーザが容易に所望の開始ページを指定することができるようにする例を説明する。第２の実施形態によれば、ユーザは、複数のページの画像データに表紙が追加される場合に、表紙を含めて開始ページを指定すれば良いのか、表紙を含めずに開始ページを指定すればよいのかを、より容易に認識することができる。
【０１５２】
なお、システムや装置の構成に関しては第１の実施形態と同じであるため、詳しい説明を省略する。
【０１５３】
まず、表紙の設定方法について説明する。
【０１５４】
図１３（ａ）は、図５（ｂ）の「表紙」ボタン５８１が押された場合に、ＣＰＵ２０１によって操作部１０６に表示される画面である。
【０１５５】
図１３（ａ）の画面１４０１の「表紙」ボタン１４０２は、表紙の出力を指示するためのボタンである。
【０１５６】
ボタン群１４０４は、表紙に画像をプリントするか否かを設定するためのボタン群である。ユーザは、「プリントしない」、「オモテにプリントする」、「ウラにプリントする」、「両面にプリントする」のいずれかを選択することができる。「変更」ボタン１４０６は、表紙に使用するシートの給紙元を設定するためのボタンである。「変更」ボタン１４０６が押されると、図１３（ｂ）に示す画面が操作部１０６に表示される。図１３（ｂ）に示す画面１４１０のボタン群１４１１は、表紙に使用するシートの給紙元の選択候補である。ユーザは、ボタン群１４１１の中から、いずれかのボタンを選択することによって、給紙元となる給紙カセットを指定することができる。ボタン群の中からボタンが選択された後、ＯＫボタン１４１２が押されると、ＣＰＵ２０１は、設定された内容をＤＩＳＫ２１１に保存し、図１３（ｂ）に示す画面１４１０の表示を終了し、図１３（ａ）の画面を操作部１０６に表示する。
【０１５７】
図１３（ａ）の画面１４０１の「ウラ表紙」ボタン１４０３は、裏表紙の出力を指示するためのボタンである。
【０１５８】
ボタン群１４０５は、裏表紙に画像をプリントするか否かを設定するためのボタン群である。ユーザは、「プリントしない」、「オモテにプリントする」、「ウラにプリントする」、「両面にプリントする」のいずれかを選択することができる。「変更」ボタン１４０６は、裏表紙に使用するシートの給紙元を設定するためのボタンである。「変更」ボタン１４０６が押されると、図１３（ｂ）に示す画面１４１０が操作部１０６に表示される。図１３（ｂ）に示す画面１４１０のボタン群１４１１は、裏表紙に使用するシートの給紙元の選択候補である。ユーザは、ボタン群１４１１の中から、いずれかのボタンを選択することによって、給紙元となる給紙カセットを指定することができる。ボタン群の中からボタンが選択された後、ＯＫボタン１４１２が押されると、ＣＰＵ２０１は、設定された内容をＤＩＳＫ２１１に保存し、図１３（ｂ）に示す画面１４１０の表示を終了し、図１３（ａ）の画面を操作部１０６に表示する。
【０１５９】
次に、原稿基準で開始ページを指定するか、出力用紙基準で開始ページを指定するかを設定するための方法について説明する。
【０１６０】
図１４に示す画面は、図６（ａ）に示す「範囲指定」ボタン５２０が押された場合に、図１０に示す画面１７０３の代わりに、操作部１０６に表示される画面である。
【０１６１】
図１４の画面２００１の「原稿基準」ボタン２００２は、表紙を含めずにページ番号を付与することを指定するためのボタンであり、「用紙基準」ボタン２００３は、表紙を含めてページ番号を付与することを指定するためのボタンである。
【０１６２】
図１５は、ページ番号の付与の例を説明するための図である。なお、ページ番号の付与位置は、中央下に設定されており、表示桁数は１桁、文字列付加や挿入紙のカウントはＯＦＦに設定されているものとする。
【０１６３】
図１５（ａ）はページ番号が付与される前の元の画像データ３００１を示す。この画像データ３００１は、スキャナ部によって原稿が読み取られて、生成されたものであってもよいし、外部装置から受信されたものであってもよい。
【０１６４】
画像データ３００１は、８ページの画像データで構成される。
【０１６５】
図１５（ｂ）〜（ｅ）は、画像データ３００１に、図１３（ａ）に示す画面１４０１及び図１３（ｂ）に示す画面１４１０を介して受け付けた操作に従って、表紙及び裏表紙が追加された画像データを示す。
【０１６６】
また、図１５（ｂ）は、次の設定がされた場合に、画像データ３００１に付与されるページ番号の例である。
・図６（ａ）に示す「印字開始数字」で「１」が指定される。
・図１４に示す「原稿基準」ボタン２００２が指定される。
・図１４に示す「全ページ」ボタン１７０４で全ページにページ番号を付与するよう指定される。
【０１６７】
このとき、画像データ３０１１には、表紙、裏表紙を除いて、８ページの画像データの全ページにページ番号が付与される。
【０１６８】
また、図１５（ｃ）は、次の設定がされた場合に、画像データ３００１に付与されるページ番号の例である。
・図６（ａ）に示す「印字開始数字」で「１」が指定される。
・図１４に示す「用紙基準」ボタン２００２が指定される。
・図１４に示す「全ページ」ボタン１７０４で全ページにページ番号を付与するよう指定される。
【０１６９】
このとき、画像データ３０１２には、表紙、裏表紙を含めて、８ページの画像データの全ページにページ番号が付与されている。
【０１７０】
図１５（ｄ）は、次の設定がされた場合に、画像データ３００１に付与されるページ番号の例である。
・図６（ａ）に示す「印字開始数字」５１２で「１」が指定される。
・「原稿基準」ボタンが指定される。
・図１４に示す「指定ページ」ボタン１７０５で一部のページにページ番号を付与するよう指定される。
・図１４に示す「開始ページ」１７０６で「３」が指定される。
・図１４に示す「最終ページまで」ボタン１７０７が指定される。なお、「最終ページまで」ボタン１７０７の指定の代わりに、図１０に示す「終了ページ」１７０９で「８」が指定されてもよい。
【０１７１】
このとき、画像データ３０１１には、表紙と裏表紙を除いて、３ページ目の画像データから、８ページ目の画像データ（最終ページの画像データ）に、ページ番号「１」〜「６」が付与される。
【０１７２】
図１５（ｅ）は、次の設定がされた場合に、画像データ３００１に付与されるページ番号の例である。
・図６（ａ）に示す「印字開始数字」５１２で「１」が指定される。
・「用紙基準」ボタンが指定される。
・図１４に示す「指定ページ」ボタン１７０５で一部のページにページ番号を付与するよう指定される。
・図１４に示す「開始ページ」１７０６で「３」が指定される。
・図１４に示す「最終頁にはプリントしない」ボタン１７０８が指定される。なお、「最終頁にはプリントしない」ボタン１７０８の指定の代わりに、図１０に示す「終了ページ」１７０９で「９」が指定されてもよい。
【０１７３】
このとき、画像データ３０１３には、表紙と裏表紙を含めて、３〜９ページ目（最終ページの前のページ）の画像データに、ページ番号「１」〜「７」が付与される。
【０１７４】
次に、このようなページ番号の付与方法について、図１６のフローチャートを用いて説明する。図１６のフローチャートに示す処理は、ＣＰＵ２０１が、ＲＯＭ２１０またはＤＩＳＫ２１１に記憶されたプログラムを読み出して実行することによって行われる。
【０１７５】
なお、図１６のフローチャートに示す処理は、ユーザから画像データの出力指示があった場合に開示される。なお、図１６のフローチャートに示す処理のうち、図１２のフローチャートと同じ処理については、同じ符号を付けてあり、詳しい説明を省略する。
【０１７６】
図１６のフローチャートが、図１２のフローチャートと異なるのは、Ｓ５００１〜Ｓ５００５の処理である。
【０１７７】
Ｓ４００２で、全ページにページ番号を付与すると判定された場合、ＣＰＵ２０１は、Ｓ５００１に処理を進める。
【０１７８】
Ｓ５００１で、ＣＰＵ２０１は、図１４の画面２００１で、「原稿基準」ボタン２００２が指定されたか、「用紙基準」ボタン２００３が指定されたかを判定する。「原稿基準」ボタン２００２が指定されたと判定された場合、ＣＰＵ２０１は、Ｓ５００２に処理を進める。「用紙基準」ボタン２００３が指定されたと判定された場合、ＣＰＵ２０１は、Ｓ４００３に処理を進める。
【０１７９】
Ｓ５００２に処理を進めた場合、ＣＰＵ２０１は、変数ｉをメモリ２０２に用意し、変数ｉに初期値として図１３に示す画面で設定された表紙の枚数に１を加算した値を代入する。
【０１８０】
Ｓ４００３に処理を進めた場合、ＣＰＵ２０１は、変数ｉをメモリ２０２に用意し、変数ｉに初期値１を代入する。それ以降、Ｓ４００４〜Ｓ４００８の処理を実行することによって、「原稿基準」で全ページにページ番号を付与するよう指定された場合、図１５（ｂ）に示すようにページ番号が付与される。また、「用紙基準」で全ページにページ番号を付与するよう指定された場合、図１５（ｃ）に示すようにページ番号が付与される。
【０１８１】
Ｓ４００９で、ＣＰＵ２０１は、変数ｉをメモリ２０２に用意し、変数ｉに初期値１を代入すると、Ｓ５００３に処理を進める。
【０１８２】
Ｓ５００３で、ＣＰＵ２０１は、図１４の画面２００１で、「原稿基準」ボタン２００２が指定されたか、「用紙基準」ボタン２００３が指定されたかを判定する。「原稿基準」ボタン２００２が指定されたと判定された場合、ＣＰＵ２０１は、Ｓ４０１０に処理を進める。「用紙基準」ボタン２００３が指定されたと判定された場合、ＣＰＵ２０１は、Ｓ５００４に処理を進める。
【０１８３】
Ｓ５００４で、ＣＰＵ２０１は、変数ｋをメモリ２０２に用意し、変数ｋに図１０の「開始ページ」ボタン１７０６で指定された開始ページから、図１３に示す画面で設定された表紙の枚数を減算した値を代入する。
【０１８４】
Ｓ５００５で、ＣＰＵ２０１は、変数ｍをメモリ２０２に用意し、変数ｍに図１０のボタン１７０７〜９のいずれかで指定された終了ページの値から、図１３に示す画面で設定された表紙の枚数を減算した値を代入する。「最終ページまで」１７０７が指定されている場合、ＣＰＵ２０１は、Ｓ４００１で取得された画像データの最終ページの値を代入する。ＣＰＵ２０１は、Ｓ４００１で画像データの取得を開始したが、Ｓ４０１１の時点で全ての画像データが取得されていない場合がある。そのような場合、ＣＰＵ２０１は、Ｓ４０１１の時点で確定している最終ページをｍに代入し、それ以降の処理を実行している間に、順次取得された画像データの最終ページの値でｍを更新していけばよい。
【０１８５】
また、「最終ページにはプリントしない」ボタン１７０８が指定されている場合、ＣＰＵ２０１は、Ｓ４００１で取得された画像データの（最終ページ−１）の値を代入する。ここでも、ＣＰＵ２０１は、Ｓ４００１で画像データの取得を開始したが、Ｓ４０１１の時点で全ての画像データが取得されていない場合がある。そのような場合、ＣＰＵ２０１は、Ｓ４０１１の時点で確定している最終ページから１を減算した値をｍに代入し、それ以降の処理を実行している間に、順次取得された画像データの最終ページから１を減算した値でｍを更新していけばよい。
【０１８６】
また、「終了ページ」ボタン１７０９によって終了ページの値が指定されている場合、ＣＰＵ２０１は、指定された終了ページの値をｍに代入する。
【０１８７】
そして、ＣＰＵ２０１は、Ｓ４０１２に処理を進める。以降、ＣＰＵ２０１は、Ｓ４０１２〜Ｓ４０１７までの処理を実行する。
【０１８８】
以上のような制御を行うことによって、表紙を追加する場合であっても、複数ページの画像のうち、ユーザが望むページ以降のページに、容易にページ番号を付与することができる。例えば、図１５に示すような種々の方法でページ番号が付与された出力結果を得ることができる。
【０１８９】
そして、コピージョブの場合、ＣＰＵ２０１は、このような方法でページ番号が付与された複数ページの画像データに従って、プリンタ２０６によってシートに画像を印刷する。
【０１９０】
なお、上述した実施形態では、合紙の挿入例について詳細に説明しなかったが、合紙について、より詳細な設定ができるようにしてもよい。
【０１９１】
例えば、図５（ｂ）に示す画面の「挿入紙」ボタン５８２が押された場合に、ＣＰＵ２０１は、操作部１０６に、図１７に示す画面１３０１を表示する。
【０１９２】
図１７の画面１３０１の「ページ番号」ボタン１３０２は、合紙を挿入する位置をユーザが指定するためのボタンである。ユーザは、「ページ番号」ボタン１３０２を押して、テンキー７０５によって数字を入力することによって、合紙を挿入すべき位置を指定することができる。ここで、ユーザによって「２」が入力され、合紙にプリントしない設定がされた場合に、ＣＰＵ２０１は、原稿の２ページ目の画像が印刷されるシートと、その前に画像が印刷されるシートとの間に、合紙を挿入するよう設定する。一方、ユーザによって「２」が入力され、合紙にプリントする設定がされた場合に、ＣＰＵ２０１は、原稿の２ページ目の画像を合紙に印刷するよう設定する。そして、ＣＰＵ２０１は、合紙を原稿の１ページ目の画像が印刷されるシートと、３ページ目の画像が印刷されるシートとの間に、その合紙を挿入するよう設定する。
【０１９３】
ボタン１３０３は、「ページ番号」ボタン１３０２で指定された位置に挿入すべき合紙の挿入枚数を指定するためのボタンである。ユーザは、ボタン１３０３を押して、合紙の挿入枚数をテンキー７０５によって入力することによって、「ページ番号」ボタン１３０２で指定された位置に挿入すべき合紙の枚数を指定する。
【０１９４】
ボタン群１３０４は、合紙に原稿の画像をプリントするか否かを指定するためのボタン群である。
【０１９５】
ユーザは、「プリントしない」、「オモテにプリントする」、「ウラにプリントする」、「両面にプリントする」のいずれかを選択することができる。
【０１９６】
「変更」ボタン１３０５は、合紙に使用するシートの給紙元を設定するためのボタンである。「変更」ボタン１３０５が押されると、図１３（ｂ）に示す画面１４１０が操作部１０６に表示される。図１３（ｂ）に示す画面１４１０のボタン群１４１１は、合紙に使用するシートの給紙元の選択候補である。ユーザは、ボタン群１４１１の中から、いずれかのボタンを選択することによって、給紙元となる給紙カセットを指定することができる。ボタン群の中からボタンが選択された後、ＯＫボタン１４１２が押されると、ＣＰＵ２０１は、設定された内容をＤＩＳＫ２１１に保存し、図１３（ｂ）に示す画面１４１０の表示を終了し、図１７の画面を操作部１０６に表示する。
【０１９７】
図１８は、合紙を挿入する場合のページ番号の付与例を説明するための図である。
【０１９８】
なお、ページ番号の付与位置は、中央下に設定されており、表示桁数は１桁、文字列付加や挿入紙のカウントはＯＦＦに設定されているものとする。
【０１９９】
ページ番号が付与される前の元の画像データは、図１８（ａ）の５０００で示される。この画像データ５０００は、スキャナ部によって原稿が読み取られて、生成されたものであってもよいし、外部装置から受信されたものであってもよい。
【０２００】
画像データ５０００は、８ページの画像データで構成される。
【０２０１】
図１８（ｂ）〜（ｅ）は、画像データ５０００に、図１７に示す画面１４０１及び図１３（ｂ）に示す画面１４１０を介して受け付けた操作に従って、合紙が追加された画像データを示す。
【０２０２】
また、図１８（ｂ）は、次の設定がされた場合に、画像データ５０００に付与されるページ番号の例である。
・図６（ａ）に示す「印字開始数字」で「１」が指定される。
・図１４に示す「全ページ」ボタン１７０４で全ページにページ番号を付与するよう指定される。
・図１７に示す「ページ番号」ボタン１３０２で「２」が指定される。
・図１７に示す「合紙の設定」ボタン１３０３で「１」が指定される。
・図９に示す「カウントしない」ボタン５４４が選択される。
・図１７に示すボタン群１３０４で、「オモテにプリントする」が指定される。
【０２０３】
このとき、画像データ５００１には、合紙を除いて、７ページの画像データにページ番号が付与される。ここで、ＣＰＵ２０１は、１ページ目の画像データにページ番号「１」を付与し、２ページ目の画像データに対応する合紙をカウントせずに、３ページ目の画像データにページ番号「２」を付与する。
【０２０４】
図１８（ｃ）は、次の設定がされた場合に、画像データ５０００に付与されるページ番号の例である。
・図６（ａ）に示す「印字開始数字」で「１」が指定される。
・図１４に示す「全ページ」ボタン１７０４で全ページにページ番号を付与するよう指定される。
・図１７に示す「ページ番号」ボタン１３０２で「２」が指定される。
・図１７に示す「合紙の設定」ボタン１３０３で「１」が指定される。
・図９に示す「カウントする」ボタン５４３が選択される。
・図１７に示すボタン群１３０４で、「オモテにプリントする」が指定される。
【０２０５】
このとき、画像データ５００１には、合紙を除いて、７ページの画像データにページ番号が付与される。ここで、ＣＰＵ２０１は、１ページ目の画像データにページ番号「１」を付与し、２ページ目の画像データに対応する合紙をカウントして、３ページ目の画像データにページ番号「３」を付与する。
【０２０６】
次に、ユーザは、表紙、裏表紙を挿入するよう設定し、さらに合紙を挿入するよう設定した場合のページ番号の付与例を説明する。
【０２０７】
図１８（ｄ）は、表紙、裏表紙を挿入するよう設定され、さらに、次の設定がされた場合に、画像データ５０００に付与されるページ番号の例である。
・図６（ａ）に示す「印字開始数字」で「１」が指定される。
・図１４に示す「原稿基準」ボタン２００２が指定される。
・図１４に示す「全ページ」ボタン１７０４で全ページにページ番号を付与するよう指定される。
・図１７に示す「ページ番号」ボタン１３０２で「２」が指定される。
・図１７に示す「合紙の設定」ボタン１３０３で「１」が指定される。
・図９に示す「カウントする」ボタン５４３が選択される。
・図１７に示すボタン群１３０４で、「オモテにプリントする」が指定される。
【０２０８】
このとき、画像データ５００２には、表紙、裏表紙、合紙を除いて、７ページの画像データにページ番号が付与される。ここで、ＣＰＵ２０１は、１ページ目の画像データにページ番号「１」を付与し、２ページ目の画像データに対応する合紙をカウントして、３ページ目の画像データにページ番号「３」を付与する。
【０２０９】
また、図１８（ｅ）は、表紙、裏表紙を挿入するよう設定され、さらに、次の設定がされた場合に、画像データ５０００に付与されるページ番号の例である。
・図６（ａ）に示す「印字開始数字」で「１」が指定される。
・図１４に示す「用紙基準」ボタン２００２が指定される。
・図１４に示す「全ページ」ボタン１７０４で全ページにページ番号を付与するよう指定される。
・図１７に示す「ページ番号」ボタン１３０２で「２」が指定される。
・図１７に示す「合紙の設定」ボタン１３０３で「１」が指定される。
・図９に示す「カウントする」ボタン５４３が選択される。
・図１７に示すボタン群１３０４で、「オモテにプリントする」が指定される。
【０２１０】
このとき、画像データ５００２には、合紙を除いて、９ページの画像データにページ番号が付与される。ここで、ＣＰＵ２０１は、表紙にページ番号「１」を付与し、原稿１にページ番号「２」を付与し、画像データに対応する合紙をカウントして、原稿３にページ番号「４」を付与する。
【０２１１】
図１８（ｆ）は、次の設定がされた場合に、画像データ５０００に付与されるページ番号の例である。
・図６（ａ）に示す「印字開始数字」５１２で「１」が指定される。
・「原稿基準」ボタンが指定される。
・図１４に示す「指定ページ」ボタン１７０５で一部のページにページ番号を付与するよう指定される。
・図１４に示す「開始ページ」１７０６で「２」が指定される。
・図１４に示す「最終ページまで」ボタン１７０７が指定される。なお、「最終ページまで」ボタン１７０７の指定の代わりに、図１０に示す「終了ページ」１７０９で「８」が指定されてもよい。
・図１７に示す「ページ番号」ボタン１３０２で「２」が指定される。
・図１７に示す「合紙の設定」ボタン１３０３で「１」が指定される。
・図９に示す「カウントする」ボタン５４３が選択される。
・図１７に示すボタン群１３０４で、「オモテにプリントしない」が指定される。
【０２１２】
このとき、画像データ３０１１には、表紙と裏表紙と合紙を除いて、原稿２の画像データから、原稿７の画像データに、ページ番号「１」〜「６」が付与される。
【０２１３】
このように、ユーザは、合紙を挿入する場合のページ番号の付与に関する設定についても柔軟な設定を行うことができる。
【０２１４】
なお、ここでは合紙にはページ番号を付与しない例を説明したが、合紙にページ番号を付与するかをユーザが設定できるようにしてもよい。その場合、ＣＰＵ２０１は、合紙にページ番号を付与するよう設定された場合に、その設定に従って、ページ番号を付与し、合紙にページ番号を付与しないよう設定された場合に、その設定に従って、ページ番号を付与しないように制御すればよい。
【０２１５】
また、上述した実施形態では、操作部１０６に画面を表示し、当該画面を介して受け付けた設定に従ってＭＦＰ１００が各種設定及び制御を行う例を説明した。しかしながら、本発明はこれに限られず、上述した画面を外部のＰＣ１０７の表示部に表示し、外部のＰＣ１０７が、当該画面を介して受け付けた設定をＭＦＰ１００に送り、ＭＦＰ１００がその設定に従って、上述した各種設定及び制御を行うようにしてもよい。
【０２１６】
（その他の実施形態）
なお、本発明は、コピージョブ以外にも、スキャナ２０８によって原稿の画像を読み取って生成された原稿の画像データにページ番号を付与して外部の装置に送信するスキャン送信ジョブに適用することもできる。また、スキャナ２０８によって原稿の画像を読み取って生成された原稿の画像データをＤＩＳＫ２１１に保存するスキャン格納ジョブに適用することもできる。さらに、ＤＩＳＫ２１１に保存された画像データにページ番号を付与し、当該画像データに従って画像をシートに印刷するＢＯＸプリントジョブにも適用することができる。
【０２１７】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【符号の説明】
【０２１８】
１００  ＭＦＰ
１０６  操作部
２０１  ＣＰＵ
２１１  ＤＩＳＫ
【図１】
0006049295.tif 000002
【図２】
0006049295.tif 000003
【図３】
0006049295.tif 000004
【図４】
0006049295.tif 000005
【図５】
0006049295.tif 000006
【図６】
0006049295.tif 000007
【図７】
0006049295.tif 000008
【図８】
0006049295.tif 000009
【図９】
0006049295.tif 000010
【図１０】
0006049295.tif 000011
【図１１】
0006049295.tif 000012
【図１２】
0006049295.tif 000013
【図１３】
0006049295.tif 000014
【図１４】
0006049295.tif 000015
【図１５】
0006049295.tif 000016
【図１６】
0006049295.tif 000017
【図１７】
0006049295.tif 000018
【図１８】
0006049295.tif 000019